(57)【要約】【課題】適切なタイミングでコンテンツを消去して、ユーザ視聴の不具合を防止することができるコンテンツ受信機を提案する。【解決手段】ＰＶＲ機器１０において、ＣＰＵ１５１に、取得プログラム１５３ｂ２を実行したＣＰＵ１５１により取得された放送スケジュールから、ＨＤＤ１２に記憶されたコンテンツの今後の放送回数を抽出して、ＨＤＤ１２に記憶される機会が多いものほど高くなるように、コンテンツに対する放送予定消去優先度を付与させる付与プログラム１５３ｂ５と、ＣＰＵ１５１に、ＨＤＤ１２に新コンテンツを記憶する前に、ＨＤＤ１２の空き容量が当該新コンテンツを記憶可能な容量となるように、付与プログラム１５３ｂ５を実行したＣＰＵ１５１により付与された放送予定消去優先度が高いコンテンツから順に、ＨＤＤ１２に記憶されたコンテンツを消去させる消去プログラム１５３ｂ６と、を備えるよう構成した。【選択図】図１
2007081670.tif 000002
【特許請求の範囲】
【請求項１】
順次放送されるコンテンツを受信する受信手段と、前記受信手段により受信されたコンテンツを記憶する記憶手段と、前記記憶手段に記憶されたコンテンツを出力装置に出力させる出力制御手段と、を備えるサーバ型放送におけるコンテンツ受信機において、
前記記憶手段に記憶されたコンテンツの放送スケジュールを取得する取得手段と、
前記取得手段により取得された放送スケジュールから、前記記憶手段に記憶されたコンテンツの今後の放送回数を抽出して、前記記憶手段に記憶される機会が多いものほど高くなるように、コンテンツに対する第１の消去優先度を付与する第１の付与手段と、
前記記憶手段に記憶されたコンテンツの所定項目の特性に関する特性情報を記憶する特性情報記憶手段と、
前記出力制御手段により前記出力装置に出力されたコンテンツの前記所定項目の特性情報毎の累積出力実績を記憶する累積出力実績記憶手段と、
前記記憶手段に記憶されたコンテンツが前記出力制御手段により前記出力装置に出力された際に、前記特性情報記憶手段に記憶された当該コンテンツの特性情報に基づいて、前記累積出力実績記憶手段における該当する前記所定項目の特性情報毎の累積出力実績を更新する更新手段と、
前記コンテンツの所定項目における所望の所定項目を選択する選択手段と、
前記記憶手段に記憶されたコンテンツ毎に、前記特性情報記憶手段に記憶された特性情報に基づいて、前記選択手段により選択された所定項目の特性情報毎の累積出力実績を前記累積出力実績記憶手段から抽出する抽出手段と、
前記抽出手段により抽出された累積出力実績に所定の演算を施して点数化し、当該点数に基づいて、コンテンツに対する第２の消去優先度を付与する第２の付与手段と、
前記第１の付与手段により付与される第１の消去優先度と、前記第２の付与手段により付与される第２の消去優先度と、に対して重み付けを設定する設定手段と、
前記記憶手段に新しいコンテンツを記憶する前に、当該記憶手段の空き容量と、当該新しいコンテンツのデータ量と、に基づいて、空き容量が当該新しいコンテンツを記憶可能な容量となるように、前記第１の付与手段により付与された第１の消去優先度と前記設定手段により設定された当該第１の消去優先度に対する重み付けとの積と、前記第２の付与手段により付与された第２の消去優先度と前記設定手段により設定された当該第２の消去優先度に対する重み付けとの積と、に所定の演算を施した演算値の高いコンテンツから順に、当該記憶手段に記憶されたコンテンツを消去する第１の消去手段と、
前記消去手段により前記記憶手段に記憶されたコンテンツを消去する際に、当該コンテンツを消去する旨を、前記出力装置を介して報知する報知手段と、
前記記憶手段に記憶されたコンテンツの中から不要なコンテンツを指定する指定手段と、
前記指定手段により指定された不要なコンテンツを、前記記憶手段から消去する第２の消去手段と、
を備えることを特徴とするコンテンツ受信機。
【請求項２】
順次放送されるコンテンツを受信する受信手段と、前記受信手段により受信されたコンテンツを記憶する記憶手段と、前記記憶手段に記憶されたコンテンツを出力装置に出力させる出力制御手段と、を備えるコンテンツ受信機において、
前記記憶手段に記憶されたコンテンツの放送スケジュールを取得する取得手段と、
前記取得手段により取得された放送スケジュールから、前記記憶手段に記憶されたコンテンツの今後の放送回数を抽出して、前記記憶手段に記憶される機会が多いものほど高くなるように、コンテンツに対する消去優先度を付与する付与手段と、
前記記憶手段に新しいコンテンツを記憶する前に、当該記憶手段の空き容量と、当該新しいコンテンツのデータ量と、に基づいて、空き容量が当該新しいコンテンツを記憶可能な容量となるように、前記付与手段により付与された消去優先度が高いコンテンツから順
に、当該記憶手段に記憶されたコンテンツを消去する消去手段と、
を備えることを特徴とするコンテンツ受信機。
【請求項３】
請求項２に記載のコンテンツ受信機において、
前記記憶手段に記憶されたコンテンツの所定項目の特性に関する特性情報を記憶する特性情報記憶手段と、
前記出力制御手段により前記出力装置に出力されたコンテンツの前記所定項目の特性情報毎の累積出力実績を記憶する累積出力実績記憶手段と、
前記記憶手段に記憶されたコンテンツが前記出力制御手段により前記出力装置に出力された際に、前記特性情報記憶手段に記憶された当該コンテンツの特性情報に基づいて、前記累積出力実績記憶手段における該当する前記所定項目の特性情報毎の累積出力実績を更新する更新手段と、
前記記憶手段に記憶されたコンテンツ毎に、前記特性情報記憶手段に記憶された特性情報に基づいて、該当する前記所定項目の特性情報毎の累積出力実績を前記累積出力実績記憶手段から抽出する抽出手段と、
前記抽出手段により抽出された累積出力実績に所定の演算を施して点数化し、当該点数に基づいて、コンテンツに対する第２の消去優先度を付与する第２の付与手段と、
を備え、
前記消去手段は、前記記憶手段に新しいコンテンツを記憶する前に、当該記憶手段の空き容量と、当該新しいコンテンツのデータ量と、に基づいて、空き容量が当該新しいコンテンツを記憶可能な容量となるように、前記付与手段により付与された消去優先度と、前記第２の付与手段により付与された第２の消去優先度と、に所定の演算を施した演算値の高いコンテンツから順に、当該記憶手段に記憶されたコンテンツを消去することを特徴とするコンテンツ受信機。
【請求項４】
請求項３に記載のコンテンツ受信機において、
前記付与手段により付与される消去優先度と、前記第２の付与手段により付与される第２の消去優先度と、に対して重み付けを設定する設定手段を備え、
前記消去手段は、前記記憶手段に新しいコンテンツを記憶する前に、当該記憶手段の空き容量と、当該新しいコンテンツのデータ量と、に基づいて、空き容量が当該新しいコンテンツを記憶可能な容量となるように、前記付与手段により付与された消去優先度と前記設定手段により設定された当該消去優先度に対する重み付けとの積と、前記第２の付与手段により付与された第２の消去優先度と前記設定手段により設定された当該第２の消去優先度に対する重み付けとの積と、に所定の演算を施した演算値の高いコンテンツから順に、当該記憶手段に記憶されたコンテンツを消去することを特徴とするコンテンツ受信機。
【請求項５】
請求項３又は４に記載のコンテンツ受信機において、
前記コンテンツの所定項目における所望の所定項目を選択する選択手段を備え、
前記抽出手段は、前記記憶手段に記憶されたコンテンツ毎に、前記特性情報記憶手段に記憶された特性情報に基づいて、前記選択手段により選択された所定項目の特性情報毎の累積出力実績を前記累積出力実績記憶手段から抽出することを特徴とするコンテンツ受信機。
【請求項６】
請求項２〜５の何れか一項に記載のコンテンツ受信機において、
前記消去手段により前記記憶手段に記憶されたコンテンツを消去する際に、当該コンテンツを消去する旨を、前記出力装置を介して報知する報知手段を備えることを特徴とするコンテンツ受信機。
【請求項７】
請求項２〜６の何れか一項に記載のコンテンツ受信機において、
前記記憶手段に記憶されたコンテンツの中から不要なコンテンツを指定する指定手段と
、
前記指定手段により指定された不要なコンテンツを、前記記憶手段から消去する第２の消去手段と、
を備えることを特徴とするコンテンツ受信機。
【発明の詳細な説明】
【技術分野】
【０００１】
本発明は、コンテンツ受信機に関する。
【背景技術】
【０００２】
送信されたコンテンツを受信して記憶し、そして、当該記憶したコンテンツの中からユーザ所望のコンテンツを取得して出力装置に出力するコンテンツ受信機が知られている。このようなコンテンツ受信機においては、記憶容量が決まっている。したがって、新しいコンテンツを記憶する際、当該新しいコンテンツのデータ量がコンテンツ受信機の記憶空き容量を上回る場合は、コンテンツ受信機に記憶していたコンテンツのうちの何れかを消去してから、当該新しいコンテンツを記憶する必要がある。
【０００３】
そこで、消去するコンテンツ（録画）を、ユーザによりセットされた消去優先度に基づいて決める方法（例えば、特許文献１参照）、消去するコンテンツを、ユーザにより指定された削除するための優先度に基づいて決めたり、或いは、ユーザが記憶依頼（蓄積依頼）をしたコンテンツのデータ量とコンテンツの管理情報（具体的には、タイトル、伝送レート、再生時間などのコンテンツを識別するための管理情報）又はユーザにより指定された削除するための優先度とに基づいて決める方法（例えば、特許文献２参照）、ユーザの好みにどれだけ合うかを推定した優先度を算出することができるようにしておき、消去するコンテンツ（番組）を、新たに記憶するコンテンツの優先度と、過去に記憶したコンテンツの優先度と、を比較して決める方法（例えば、特許文献３参照）、消去するコンテンツ（提供データ）を、コンテンツの保存期間や、コンテンツへのアクセス回数、コンテンツのデータ量（データサイズ）などに基づいて決める方法（例えば、特許文献４参照）などが提案されている。
【特許文献１】特開２００５−１７６４０６号公報
【特許文献２】特開２００３−２６３３８１号公報
【特許文献３】特開２００２−２１８３６３号公報
【特許文献４】特開２００２−１１６９７１号公報
【発明の開示】
【発明が解決しようとする課題】
【０００４】
ところで、送信されるコンテンツの中には、いわゆるサーバ型放送のように、定期的に送信（放送）されるものの、常時放送されないコンテンツがある。このような場合、特許文献１〜４のように、今後の放送予定を無視した条件に基づいてコンテンツを消去すると、例えば、今後、何度も放送されるコンテンツを記憶したままで、今後、放送予定のないものを先に消去してしまう場合があり、ユーザは、後から当該消去したコンテンツを視聴したいと思っても、視聴することができないという問題があった。
【０００５】
本発明の課題は、適切なタイミングでコンテンツを消去して、ユーザ視聴の不具合を防止することができるコンテンツ受信機を提案することにある。
【課題を解決するための手段】
【０００６】
上記課題を解決するために、請求項１に記載の発明は、順次放送されるコンテンツを受信する受信手段と、前記受信手段により受信されたコンテンツを記憶する記憶手段と、前記記憶手段に記憶されたコンテンツを出力装置に出力させる出力制御手段と、を備えるサーバ型放送におけるコンテンツ受信機において、前記記憶手段に記憶されたコンテンツの放送スケジュールを取得する取得手段と、前記取得手段により取得された放送スケジュールから、前記記憶手段に記憶されたコンテンツの今後の放送回数を抽出して、前記記憶手
段に記憶される機会が多いものほど高くなるように、コンテンツに対する第１の消去優先度を付与する第１の付与手段と、前記記憶手段に記憶されたコンテンツの所定項目の特性に関する特性情報を記憶する特性情報記憶手段と、前記出力制御手段により前記出力装置に出力されたコンテンツの前記所定項目の特性情報毎の累積出力実績を記憶する累積出力実績記憶手段と、前記記憶手段に記憶されたコンテンツが前記出力制御手段により前記出力装置に出力された際に、前記特性情報記憶手段に記憶された当該コンテンツの特性情報に基づいて、前記累積出力実績記憶手段における該当する前記所定項目の特性情報毎の累積出力実績を更新する更新手段と、前記コンテンツの所定項目における所望の所定項目を選択する選択手段と、前記記憶手段に記憶されたコンテンツ毎に、前記特性情報記憶手段に記憶された特性情報に基づいて、前記選択手段により選択された所定項目の特性情報毎の累積出力実績を前記累積出力実績記憶手段から抽出する抽出手段と、前記抽出手段により抽出された累積出力実績に所定の演算を施して点数化し、当該点数に基づいて、コンテンツに対する第２の消去優先度を付与する第２の付与手段と、前記第１の付与手段により付与される第１の消去優先度と、前記第２の付与手段により付与される第２の消去優先度と、に対して重み付けを設定する設定手段と、前記記憶手段に新しいコンテンツを記憶する前に、当該記憶手段の空き容量と、当該新しいコンテンツのデータ量と、に基づいて、空き容量が当該新しいコンテンツを記憶可能な容量となるように、前記第１の付与手段により付与された第１の消去優先度と前記設定手段により設定された当該第１の消去優先度に対する重み付けとの積と、前記第２の付与手段により付与された第２の消去優先度と前記設定手段により設定された当該第２の消去優先度に対する重み付けとの積と、に所定の演算を施した演算値の高いコンテンツから順に、当該記憶手段に記憶されたコンテンツを消去する第１の消去手段と、前記消去手段により前記記憶手段に記憶されたコンテンツを消去する際に、当該コンテンツを消去する旨を、前記出力装置を介して報知する報知手段と、前記記憶手段に記憶されたコンテンツの中から不要なコンテンツを指定する指定手段と、前記指定手段により指定された不要なコンテンツを、前記記憶手段から消去する第２の消去手段と、を備えることを特徴とする。
【０００７】
請求項２に記載の発明は、順次放送されるコンテンツを受信する受信手段と、前記受信手段により受信されたコンテンツを記憶する記憶手段と、前記記憶手段に記憶されたコンテンツを出力装置に出力させる出力制御手段と、を備えるコンテンツ受信機において、前記記憶手段に記憶されたコンテンツの放送スケジュールを取得する取得手段と、前記取得手段により取得された放送スケジュールから、前記記憶手段に記憶されたコンテンツの今後の放送回数を抽出して、前記記憶手段に記憶される機会が多いものほど高くなるように、コンテンツに対する消去優先度を付与する付与手段と、前記記憶手段に新しいコンテンツを記憶する前に、当該記憶手段の空き容量と、当該新しいコンテンツのデータ量と、に基づいて、空き容量が当該新しいコンテンツを記憶可能な容量となるように、前記付与手段により付与された消去優先度が高いコンテンツから順に、当該記憶手段に記憶されたコンテンツを消去する消去手段と、を備えることを特徴とする。
【０００８】
請求項３に記載の発明は、請求項２に記載のコンテンツ受信機において、前記記憶手段に記憶されたコンテンツの所定項目の特性に関する特性情報を記憶する特性情報記憶手段と、前記出力制御手段により前記出力装置に出力されたコンテンツの前記所定項目の特性情報毎の累積出力実績を記憶する累積出力実績記憶手段と、前記記憶手段に記憶されたコンテンツが前記出力制御手段により前記出力装置に出力された際に、前記特性情報記憶手段に記憶された当該コンテンツの特性情報に基づいて、前記累積出力実績記憶手段における該当する前記所定項目の特性情報毎の累積出力実績を更新する更新手段と、前記記憶手段に記憶されたコンテンツ毎に、前記特性情報記憶手段に記憶された特性情報に基づいて、該当する前記所定項目の特性情報毎の累積出力実績を前記累積出力実績記憶手段から抽出する抽出手段と、前記抽出手段により抽出された累積出力実績に所定の演算を施して点数化し、当該点数に基づいて、コンテンツに対する第２の消去優先度を付与する第２の付
与手段と、を備え、前記消去手段は、前記記憶手段に新しいコンテンツを記憶する前に、当該記憶手段の空き容量と、当該新しいコンテンツのデータ量と、に基づいて、空き容量が当該新しいコンテンツを記憶可能な容量となるように、前記付与手段により付与された消去優先度と、前記第２の付与手段により付与された第２の消去優先度と、に所定の演算を施した演算値の高いコンテンツから順に、当該記憶手段に記憶されたコンテンツを消去することを特徴とする。
【０００９】
請求項４に記載の発明は、請求項３に記載のコンテンツ受信機において、前記付与手段により付与される消去優先度と、前記第２の付与手段により付与される第２の消去優先度と、に対して重み付けを設定する設定手段を備え、前記消去手段は、前記記憶手段に新しいコンテンツを記憶する前に、当該記憶手段の空き容量と、当該新しいコンテンツのデータ量と、に基づいて、空き容量が当該新しいコンテンツを記憶可能な容量となるように、前記付与手段により付与された消去優先度と前記設定手段により設定された当該消去優先度に対する重み付けとの積と、前記第２の付与手段により付与された第２の消去優先度と前記設定手段により設定された当該第２の消去優先度に対する重み付けとの積と、に所定の演算を施した演算値の高いコンテンツから順に、当該記憶手段に記憶されたコンテンツを消去することを特徴とする。
【００１０】
請求項５に記載の発明は、請求項３又は４に記載のコンテンツ受信機において、前記コンテンツの所定項目における所望の所定項目を選択する選択手段を備え、前記抽出手段は、前記記憶手段に記憶されたコンテンツ毎に、前記特性情報記憶手段に記憶された特性情報に基づいて、前記選択手段により選択された所定項目の特性情報毎の累積出力実績を前記累積出力実績記憶手段から抽出することを特徴とする。
【００１１】
請求項６に記載の発明は、請求項２〜５の何れか一項に記載のコンテンツ受信機において、前記消去手段により前記記憶手段に記憶されたコンテンツを消去する際に、当該コンテンツを消去する旨を、前記出力装置を介して報知する報知手段を備えることを特徴とする。
【００１２】
請求項７に記載の発明は、請求項２〜６の何れか一項に記載のコンテンツ受信機において、前記記憶手段に記憶されたコンテンツの中から不要なコンテンツを指定する指定手段と、前記指定手段により指定された不要なコンテンツを、前記記憶手段から消去する第２の消去手段と、を備えることを特徴とする。
【発明の効果】
【００１３】
請求項１に記載の発明によれば、第１の付与手段によって、取得手段により取得された放送スケジュールから、記憶手段に記憶されたコンテンツの今後の放送回数を抽出して、記憶手段に記憶される機会が多いものほど高くなるように、コンテンツに対する第１の消去優先度を付与することができる。したがって、今後、何度も放送されるコンテンツ（すなわち、今後、何度も再記憶の機会があるコンテンツ）を記憶したままで、今後、放送予定のないコンテンツ（すなわち、今後、一度も再記憶の機会がないコンテンツ）を先に消去してしまうことがなくなる。すなわち、適切なタイミングでコンテンツを消去することができるため、効果的に、ユーザ視聴の不具合を防止することができる。
【００１４】
そして、抽出手段によって、記憶手段に記憶されたコンテンツ毎に、特性情報記憶手段に記憶された特性情報に基づいて、選択手段により選択された所定項目の特性情報毎の累積出力実績を累積出力実績記憶手段から抽出することができ、第２の付与手段によって、抽出手段により抽出された累積出力実績に所定の演算を施して点数化し、当該点数に基づいて、コンテンツに対する第２の消去優先度を付与することができる。したがって、消去するコンテンツを決める際、今後の放送予定に加えて、これまでのユーザの視聴傾向も反映することができ、さらに、ユーザは、複数ある所定項目の中から、消去するコンテンツ
を決める際に反映したい所定項目を選択することができる。また、第１の消去手段によって、記憶手段に新しいコンテンツを記憶する前に、当該記憶手段の空き容量と、当該新しいコンテンツのデータ量と、に基づいて、空き容量が当該新しいコンテンツを記憶可能な容量となるように、第１の付与手段により付与された第１の消去優先度と設定手段により設定された当該第１の消去優先度に対する重み付けとの積と、第２の付与手段により付与された第２の消去優先度と設定手段により設定された当該第２の消去優先度に対する重み付けとの積と、に所定の演算を施した演算値の高いコンテンツから順に、当該記憶手段に記憶されたコンテンツを消去することができる。したがって、ユーザは、消去するコンテンツを決める際の、今後の放送予定を重視する度合いと、これまでの視聴傾向を重視する度合いと、を設定することができる。さらに、報知手段によって、消去手段により記憶手段に記憶されたコンテンツを消去する際に、当該コンテンツを消去する旨を、出力装置を介して報知することができる。したがって、ユーザは、消去されるコンテンツを知ることができるため、例えば、当該消去されるコンテンツが記憶手段に残しておきたいコンテンツである場合は、当該消去されるコンテンツが消去されないよう対応することができる。すなわち、ユーザの好みに合わせてコンテンツを消去することができる。
【００１５】
そして、第２の消去手段によって、指定手段により指定された不要なコンテンツを、記憶手段から消去することができる。したがって、第１の消去優先度や第２の消去優先度に関わらず、ユーザは、消去したいコンテンツがある場合は、任意のタイミングで、当該消去したいコンテンツを記憶手段から消去させることができるため、使い勝手がよい。
【００１６】
請求項２に記載の発明によれば、付与手段によって、取得手段により取得された放送スケジュールから、記憶手段に記憶されたコンテンツの今後の放送回数を抽出して、記憶手段に記憶される機会が多いものほど高くなるように、コンテンツに対する消去優先度を付与することができ、消去手段によって、記憶手段に新しいコンテンツを記憶する前に、当該記憶手段の空き容量と、当該新しいコンテンツのデータ量と、に基づいて、空き容量が当該新しいコンテンツを記憶可能な容量となるように、付与手段により付与された消去優先度が高いコンテンツから順に、当該記憶手段に記憶されたコンテンツを消去することができる。したがって、今後、何度も放送されるコンテンツ（すなわち、今後、何度も再記憶の機会があるコンテンツ）を記憶したままで、今後、放送予定のないコンテンツ（すなわち、今後、一度も再記憶の機会がないコンテンツ）を先に消去してしまうことがなくなる。すなわち、適切なタイミングでコンテンツを消去することができるため、効果的に、ユーザ視聴の不具合を防止することができる。
【００１７】
請求項３に記載の発明によれば、請求項２に記載の発明と同様の効果が得られることは無論のこと、抽出手段によって、記憶手段に記憶されたコンテンツ毎に、特性情報記憶手段に記憶された特性情報に基づいて、該当する所定項目の特性情報毎の累積出力実績を累積出力実績記憶手段から抽出することができ、第２の付与手段によって、抽出手段により抽出された累積出力実績に所定の演算を施して点数化し、当該点数に基づいて、コンテンツに対する第２の消去優先度を付与することができ、消去手段によって、記憶手段に新しいコンテンツを記憶する前に、当該記憶手段の空き容量と、当該新しいコンテンツのデータ量と、に基づいて、空き容量が当該新しいコンテンツを記憶可能な容量となるように、付与手段により付与された消去優先度と、第２の付与手段により付与された第２の消去優先度と、に所定の演算を施した演算値の高いコンテンツから順に、当該記憶手段に記憶されたコンテンツを消去することができる。したがって、消去するコンテンツを決める際、今後の放送予定に加えて、これまでのユーザの視聴傾向も反映することができるため、ユーザの好みに合わせてコンテンツを消去することができる。
【００１８】
請求項４に記載の発明によれば、請求項３に記載の発明と同様の効果が得られることは無論のこと、消去手段によって、記憶手段に新しいコンテンツを記憶する前に、当該記憶手段の空き容量と、当該新しいコンテンツのデータ量と、に基づいて、空き容量が当該新
しいコンテンツを記憶可能な容量となるように、付与手段により付与された消去優先度と設定手段により設定された当該消去優先度に対する重み付けとの積と、第２の付与手段により付与された第２の消去優先度と設定手段により設定された当該第２の消去優先度に対する重み付けとの積と、に所定の演算を施した演算値の高いコンテンツから順に、当該記憶手段に記憶されたコンテンツを消去することができる。したがって、ユーザは、消去するコンテンツを決める際の、今後の放送予定を重視する度合いと、これまでの視聴傾向を重視する度合いと、を設定することができることとなって、より、ユーザの好みに合わせてコンテンツを消去することができる。
【００１９】
請求項５に記載の発明によれば、請求項３又は４に記載の発明と同様の効果が得られることは無論のこと、抽出手段によって、記憶手段に記憶されたコンテンツ毎に、特性情報記憶手段に記憶された特性情報に基づいて、選択手段により選択された所定項目の特性情報毎の累積出力実績を累積出力実績記憶手段から抽出することができる。したがって、ユーザは、複数ある所定項目の中から、消去するコンテンツを決める際に反映したい所定項目を選択することができることとなって、さらに、ユーザの好みに合わせてコンテンツを消去することができる。
【００２０】
請求項６に記載の発明によれば、請求項２〜５の何れか一項に記載の発明と同様の効果が得られることは無論のこと、報知手段によって、消去手段により記憶手段に記憶されたコンテンツを消去する際に、当該コンテンツを消去する旨を、出力装置を介して報知することができる。したがって、ユーザは、消去されるコンテンツを知ることができるため、例えば、当該消去されるコンテンツが記憶手段に残しておきたいコンテンツである場合は、当該消去されるコンテンツが消去されないよう対応することができることとなって、より一層、ユーザの好みに合わせてコンテンツを消去することができる。
【００２１】
請求項７に記載の発明によれば、請求項２〜６の何れか一項に記載の発明と同様の効果が得られることは無論のこと、第２の消去手段によって、指定手段により指定された不要なコンテンツを、記憶手段から消去することができる。したがって、消去優先度や第２の消去優先度に関わらず、ユーザは、消去したいコンテンツがある場合は、任意のタイミングで、当該消去したいコンテンツを記憶手段から消去させることができるため、使い勝手がよい。
【発明を実施するための最良の形態】
【００２２】
以下、図を参照して、本発明にかかるコンテンツ受信機の最良の形態を詳細に説明する。なお、発明の範囲は、図示例に限定されない。
【００２３】
本実施形態では、コンテンツ受信機としてＰＶＲ（Personal Video Recorder）機器を
例示して説明することとする。
＜ＰＶＲ機器の構成＞
まず、ＰＶＲ機器１０の構成について説明する。
【００２４】
ＰＶＲ機器１０は、例えば、サーバ型放送におけるコンテンツ受信機であって、図１に示すように、出力装置２０を接続している。
【００２５】
具体的には、ＰＶＲ機器１０は、チューナ１１と、ＨＤＤ（Hard Disk Drive）１２と
、デコーダ１３と、リモコン受信部１４と、制御部１５と、などを備えて構成される。各部は、バスＢによって接続されている。また、ＰＶＲ機器１０は、ＰＶＲ機器１０用のリモートコントローラ１４１（以下、「リモコン１４１」という。）も備えている。
【００２６】
チューナ１１は、アンテナ１１１を有しており、アンテナ１１１及びチューナ１１は、受信手段として、制御部１５からの指示に従って、順次放送されるコンテンツを受信する。
【００２７】
具体的には、チューナ１１は、制御部１５からの指示に従って、例えば、アンテナ１１１により受信されるデジタル方式のテレビジョン放送波の中から、ユーザ所望のコンテンツであって、ＨＤＤ１２に記憶されていないコンテンツを受信する。
【００２８】
ここで、ユーザ所望のコンテンツとは、例えば、ユーザによって予め指定されたコンテンツやユーザの視聴傾向等に基づいて制御部１５が選択したコンテンツなどである。
【００２９】
また、アンテナ１１１及びチューナ１１は、例えば、制御部１５からの指示に従って、定期的に、アンテナ１１１及びチューナ１１により受信可能なコンテンツのＥＰＧ（Electronic Program Guide）情報を受信する。
【００３０】
ＨＤＤ１２は、例えば、磁気的記録媒体で構成される。
【００３１】
具体的には、ＨＤＤ１２は、例えば、記憶手段として、制御部１５からの指示に従って、アンテナ１１１及びチューナ１１により受信されたコンテンツを記憶する。
【００３２】
デコーダ１３は、例えば、制御部１５からの指示に従って、ＨＤＤ１２に記憶されたコンテンツをデコードして、出力装置２０に出力する。
【００３３】
出力装置２０は、例えば、画像表示部２１と、音声出力部２２と、などを備えている。
【００３４】
画像表示部２１は、液晶表示機器などであり、例えば、デコーダ１３によりデコードされたコンテンツに基づく画像を表示する。
【００３５】
音声出力部２２は、スピーカ機器などであり、例えば、デコーダ１３によりデコードされたコンテンツに基づく音声を出力する。
【００３６】
リモコン受信部１４は、例えば、リモコン１４１から送信された各種信号を受信する。
【００３７】
リモコン１４１は、例えば、設定手段として、ユーザが付与プログラム１５３ｂ５を実行したＣＰＵ１５１（後述）により付与される消去優先度（第１の消去優先度）としての放送予定消去優先度と第２の消去優先度としての出力実績消去優先度とに対して重み付けを設定する際に使用される。ユーザのリモコン１４１操作により設定された放送予定消去優先度に対する重み付けは、トータル消去優先度データテーブル１５３ａ７の「重み付け」記憶領域１５３ａ７３（後述）に記憶され、ユーザのリモコン１４１操作により設定された出力実績消去優先度に対する重み付けは、トータル消去優先度データテーブル１５３ａ７の「重み付け」記憶領域１５３ａ７５（後述）に記憶される。
【００３８】
また、リモコン１４１は、例えば、選択手段として、ユーザがコンテンツの所定項目における所望の所定項目を選択する際に使用される。ユーザのリモコン１４１操作により選択された所定項目（以下、「選択所定項目」という。）は、出力実績消去優先度データテーブル１５３ａ５の「選択所定項目」記憶領域１５３ａ５２（後述）に記憶される。
【００３９】
また、リモコン１４１は、例えば、指定手段として、ユーザがＨＤＤ１２に記憶されたコンテンツの中から不要なコンテンツを指定する際に使用される。
【００４０】
なお、重み付けの設定、選択所定項目の選択、不要なコンテンツの指定は、好適な任意のタイミングで行われることとする。
【００４１】
制御部１５は、例えば、図１に示すように、ＣＰＵ（Central Processing Unit）１５
１と、ＲＡＭ（Random Access Memory）１５２と、記憶部１５３と、などを備えている。
【００４２】
ＣＰＵ１５１は、記憶部１５３に記憶されたＰＶＲ機器１０用の各種処理プログラムに従って、各種の制御動作を行う。
【００４３】
ＲＡＭ１５２は、ＣＰＵ１５１によって実行される処理プログラムなどを展開するためのプログラム格納領域や、入力データや上記処理プログラムが実行される際に生じる処理結果などを格納するデータ格納領域などを備える。
【００４４】
記憶部１５３は、ＰＶＲ機器１０で実行可能なシステムプログラム、当該システムプロ
グラムで実行可能な各種処理プログラム、これら各種処理プログラムを実行する際に使用されるデータ、ＣＰＵ１５１によって演算処理された各種結果のデータなどを記憶する。なお、プログラムは、コンピュータが読み取り可能なプログラムコードの形で記憶部１５３に記憶されている。
【００４５】
具体的には、記憶部１５３は、例えば、図１に示すように、ＥＰＧ情報データテーブル１５３ａ１と、放送スケジュールデータテーブル１５３ａ２と、特性情報データテーブル１５３ａ３と、累積出力実績データテーブル１５３ａ４と、出力実績消去優先度データテーブル１５３ａ５と、放送予定消去優先度データテーブル１５３ａ６と、トータル消去優先度データテーブル１５３ａ７と、出力制御プログラム１５３ｂ１と、取得プログラム１５３ｂ２と、更新プログラム１５３ｂ３と、抽出プログラム１５３ｂ４と、付与プログラム１５３ｂ５と、消去プログラム１５３ｂ６と、報知プログラム１５３ｂ７と、などを記憶している。
【００４６】
ＥＰＧ情報データテーブル１５３ａ１は、アンテナ１１１及びチューナ１１により受信されたＥＰＧ情報を記憶する。
【００４７】
具体的には、ＥＰＧ情報は、例えば、コンテンツの放送スケジュールと、コンテンツの所定項目の特性に関する特性情報と、などを含む情報である。
【００４８】
放送スケジュールデータテーブル１５３ａ２は、ＨＤＤ１２に記憶されたコンテンツの放送スケジュールを記憶する。
【００４９】
具体的には、放送スケジュールデータテーブル１５３ａ２は、例えば、図２に示すように、「コンテンツ識別情報」記憶領域１５３ａ２１と、「放送スケジュール」記憶領域１５３ａ２２と、などを有している。
【００５０】
「コンテンツ識別情報」記憶領域１５３ａ２１は、ＨＤＤ１２に記憶されたコンテンツを識別するための情報（例えば、コンテンツのタイトルなど）を記憶する。
【００５１】
「放送スケジュール」記憶領域１５３ａ２２は、取得プログラム１５３ｂ２を実行したＣＰＵ１５１（後述）により取得された、ＨＤＤ１２に記憶されたコンテンツの放送スケジュールを記憶する。
【００５２】
特性情報データテーブル１５３ａ３は、特性情報記憶手段として、ＨＤＤ１２に記憶されたコンテンツの所定項目の特性に関する特性情報を記憶する。
【００５３】
具体的には、特性情報データテーブル１５３ａ３は、例えば、図３に示すように、「コンテンツ識別情報」記憶領域１５３ａ３１と、「特性情報」記憶領域１５３ａ３２と、などを有している。
【００５４】
「特性情報」記憶領域１５３ａ３２は、取得プログラム１５３ｂ２を実行したＣＰＵ１５１（後述）により取得された、ＨＤＤ１２に記憶されたコンテンツの所定項目の特性情報を記憶する。例えば、図３の「特性情報」記憶領域１５３ａ３２には、所定項目「ジャンル」の特性情報「映画」，「ドラマ」，「スポーツ」、所定項目「放送局」の特性情報「○○テレビ」，「△△放送」、…が記憶されている。
【００５５】
累積出力実績データテーブル１５３ａ４は、累積出力実績記憶手段として、所定期間内に、出力制御プログラム１５３ｂ１を実行したＣＰＵ１５１により出力装置２０に出力されたコンテンツの所定項目の特性情報毎の累積出力実績を記憶する。
【００５６】
ここで、所定期間とは、例えば、最初に出力制御プログラム１５３ｂ１を実行したＣＰＵ１５１が出力装置２０にコンテンツを出力した時点から現時点までの期間等の任意の期間である。
【００５７】
具体的には、累積出力実績データテーブル１５３ａ４は、例えば、図４に示すように、「所定項目」記憶領域１５３ａ４１と、「特性情報」記憶領域１５３ａ４２と、「累積出力実績」記憶領域１５３ａ４３と、などを有している。
【００５８】
出力実績消去優先度データテーブル１５３ａ５は、累積出力実績データテーブル１５３ａ４に記憶された累積出力実績に基づいて付与された、ＨＤＤ１２に記憶されたコンテンツに対する出力実績消去優先度を記憶する。
【００５９】
具体的には、出力実績消去優先度データテーブル１５３ａ５は、例えば、図５に示すように、「コンテンツ識別情報」記憶領域１５３ａ５１と、「選択所定項目」記憶領域１５３ａ５２と、「特性情報」記憶領域１５３ａ５３と、「累積出力実績」記憶領域１５３ａ５４と、「点数」記憶領域１５３ａ５５と、「出力実績消去優先度」記憶領域１５３ａ５６と、などを有している。
【００６０】
放送予定消去優先度データテーブル１５３ａ６は、放送スケジュールデータテーブル１５３ａ２に記憶された放送スケジュールに基づいて付与された、ＨＤＤ１２に記憶されたコンテンツに対する放送予定消去優先度を記憶する。
【００６１】
具体的には、放送予定消去優先度データテーブル１５３ａ６は、例えば、図６に示すように、「コンテンツ識別情報」記憶領域１５３ａ６１と、「放送回数」記憶領域１５３ａ６２と、「放送回数消去優先度」記憶領域１５３ａ６３と、「放送期間順位」記憶領域１５３ａ６４と、「放送期間消去優先度」記憶領域１５３ａ６５と、「放送予定消去優先度」記憶領域１５３ａ６６と、などを有している。
【００６２】
トータル消去優先度データテーブル１５３ａ７は、放送予定消去優先度データテーブル１５３ａ６に記憶された放送予定消去優先度と、出力実績消去優先度データテーブル１５３ａ５に記憶された出力消去優先度と、に基づいて演算された、ＨＤＤ１２に記憶されたコンテンツに対する演算値としてのトータル消去優先度を記憶する。
【００６３】
具体的には、トータル消去優先度データテーブル１５３ａ７は、例えば、図７に示すように、「コンテンツ識別情報」記憶領域１５３ａ７１と、「放送予定消去優先度」記憶領域１５３ａ７２と、「重み付け」記憶領域１５３ａ７３と、「出力実績消去優先度」記憶領域１５３ａ７４と、「重み付け」記憶領域１５３ａ７５と、「トータル消去優先度」記憶領域１５３ａ７６と、などを有している。
【００６４】
出力制御プログラム１５３ｂ１は、ＣＰＵ１５１に、ＨＤＤ１２に記憶されたコンテンツを、デコーダ１３によりデコードして、出力装置２０に出力させる機能を実現させる。
【００６５】
ＣＰＵ１５１は、かかる出力制御プログラム１５３ｂ１を実行することによって、出力制御手段として機能する。
【００６６】
取得プログラム１５３ｂ２は、ＣＰＵ１５１に、ＥＰＧ情報データテーブル１５３ａ１に記憶されたＥＰＧ情報の中から、ＨＤＤ１２に記憶されたコンテンツの放送スケジュールを取得して、放送スケジュールデータテーブル１５３ａ２に記憶させる機能を実現させる。
【００６７】
また、取得プログラム１５３ｂ２は、ＣＰＵ１５１に、ＥＰＧ情報データテーブル１５３ａ１に記憶されたＥＰＧ情報の中から、或いは、アンテナ１１１及びチューナ１１により受信されてデコーダ１３によりデコードされたコンテンツから、ＨＤＤ１２に記憶されたコンテンツの所定項目の特性情報を取得して、特性情報データテーブル１５３ａ３に記憶させる機能を実現させる。
【００６８】
なお、ＣＰＵ１５１は、好適な任意のタイミングで、取得プログラム１５３ｂ２を実行することとする。
【００６９】
ＣＰＵ１５１は、かかる取得プログラム１５３ｂ２を実行して、取得手段として機能する。
【００７０】
更新プログラム１５３ｂ３は、ＣＰＵ１５１に、ＨＤＤ１２に記憶されたコンテンツが出力制御プログラム１５３ｂ１を実行したＣＰＵ１５１により出力装置２０に出力された際に、特性情報データテーブル１５３ａ３に記憶された当該コンテンツの特性情報に基づ
いて、累積出力実績データテーブル１５４ａ４における該当する所定項目の特性情報毎の累積出力実績（「累積出力実績」記憶領域１５３ａ４３に記憶された累積出力実績）を更新する機能を実現させる。
【００７１】
ＣＰＵ１５１は、かかる更新プログラム１５３ｂ３を実行することによって、更新手段として機能する。
【００７２】
抽出プログラム１５３ｂ４は、ＣＰＵ１５１に、ＨＤＤ１２に記憶されたコンテンツ毎に、特性情報データテーブル１５３ａ３に記憶された特性情報に基づいて、ユーザのリモコン１４１操作により選択された選択所定項目の特性情報毎の累積出力実績を累積出力実績データテーブル１５３ａ４の「累積出力実績」記憶領域１５３ａ４３から抽出して、出力実績消去優先度データテーブル１５３ａ５の「累積出力実績」記憶領域１５３ａ５４に記憶させる機能を実現させる。
【００７３】
ＣＰＵ１５１は、かかる抽出プログラム１５３ｂ４を実行することによって、抽出手段として機能する。
【００７４】
付与プログラム１５３ｂ５は、ＣＰＵ１５１に、取得プログラム１５３ｂ２を実行したＣＰＵ１５１により取得された放送スケジュールから、ＨＤＤ１２に記憶されたコンテンツの今後の放送回数を抽出して、ＨＤＤ１２に記憶される機会が多いものほど高くなるように、コンテンツに対する放送回数消去優先度を付与すると共に、取得プログラム１５３ｂ２を実行したＣＰＵ１５１により取得された放送スケジュールから、ＨＤＤ１２に記憶されたコンテンツにおける今後の放送時間を抽出して、今後の放送時間までの期間が短いものほど高くなるように、コンテンツに対する放送期間消去優先度を付与し、当該放送回数消去優先度と当該放送期間消去優先度とに基づいて、コンテンツに対する放送予定消去優先度を付与する機能を実現させる。
【００７５】
具体的には、例えば、ＣＰＵ１５１は、取得プログラム１５３ｂ２を実行したＣＰＵ１５１により取得されて放送スケジュールデータテーブル１５３ａ２に記憶された放送スケジュールから、ＨＤＤ１２に記憶されたコンテンツの今後の放送回数を抽出して、放送予定消去優先度データテーブル１５３ａ６の「放送回数」記憶領域１５３ａ６２に記憶させ、「放送回数」記憶領域１５３ａ６２に記憶された放送回数に所定の演算を施して得た値（具体的には、例えば、「１０」を乗じて得た値）を、「放送回数消去優先度」記憶領域１５３ａ６３に記憶させる。そして、ＣＰＵ１５１は、放送スケジュールから、ＨＤＤ１２に記憶されたコンテンツにおける今後の放送時間を抽出して、今後の放送時間までの期間が長いものから順に「１」，「２」，「３」，…を、「放送期間順位」記憶領域１５３ａ６４に記憶させ、「放送期間順位」記憶領域１５３ａ６４に記憶された値に所定の演算を施して得た値（具体的には、例えば、「５」を乗じて得た値）を、「放送期間消去優先度」記憶領域１５３ａ６５に記憶させる。そして、ＣＰＵ１５１は、「放送回数消去優先度」記憶領域１５３ａ６３に記憶された値と「放送期間消去優先度」記憶領域１５３ａ６５に記憶された値との和を、「放送予定消去優先度」記憶領域１５３ａ６６に記憶させると共に、トータル消去優先度データテーブル１５３ａ７の「放送予定消去優先度」記憶領域１５３ａ７２に記憶させる。
【００７６】
また、付与プログラム１５３ｂ５は、ＣＰＵ１５１に、抽出プログラム１５３ｂ４を実行したＣＰＵ１５１により抽出された累積出力実績に所定の演算を施して点数化し、当該点数に基づいて、コンテンツに対する出力実績消去優先度を付与する機能を実現させる。
【００７７】
具体的には、ＣＰＵ１４１は、抽出プログラム１５３ｂ４を実行したＣＰＵ１５１により抽出されて出力実績消去優先度データテーブル１５３ａ５の「累積出力実績」記憶領域１５３ａ５４に記憶された各コンテンツの累積出力実績に所定の演算を施して得た点数（具体的には、例えば、各コンテンツの累積出力実績を合計して得た点数）を、「点数」記憶領域１５３ａ５５に記憶させ、「点数」記憶領域１５３ａ５５に記憶された点数に所定の演算を施して得た値（具体的には、例えば、「−１」を乗じて得た値）を、「出力実績消去優先度」記憶領域１５３ａ５６に記憶させると共に、トータル消去優先度データテー
ブル１５３ａ７の「出力実績消去優先度」記憶領域１５３ａ７４に記憶させる。
【００７８】
ＣＰＵ１５１は、かかる付与プログラム１５３ｂ５を実行することによって、付与手段（第１の付与手段）及び第２の付与手段として機能する。
【００７９】
消去プログラム１５３ｂ６は、ＣＰＵ１５１に、ＨＤＤ１２に新しいコンテンツ（以下、「新コンテンツ」という。）を記憶する前に、ＨＤＤ１２の空き容量と、当該新コンテンツのデータ量と、に基づいて、ＨＤＤ１２の空き容量が当該新コンテンツを記憶可能な容量となるように、付与プログラム１５３ｂ５を実行したＣＰＵ１５１により付与された放送予定消去優先度とユーザのリモコン１４１操作により設定された当該放送予定消去優先度に対する重み付けとの積と、付与プログラム１５３ｂ５を実行したＣＰＵ１５１により付与された出力実績消去優先度とユーザのリモコン１４１操作により設定された当該出力実績消去優先度に対する重み付けとの積と、に所定の演算を施して得たトータル消去優先度の高いコンテンツから順に、ＨＤＤ１２に記憶されたコンテンツを消去する機能を実現させる。
【００８０】
具体的には、ＣＰＵ１５１は、付与プログラム１５３ｂ５を実行したＣＰＵ１５１により付与されて、トータル消去優先度データテーブル１５３ａ７の「放送予定消去優先度」記憶領域１５３ａ７２に記憶された放送予定消去優先度とユーザのリモコン１４１操作により設定されて「重み付け」記憶領域１５３ａ７３に記憶された重み付けとの積（第１の積）と、付与プログラム１５３ｂ５を実行したＣＰＵ１５１により設定されて、「出力実績消去優先度」記憶領域１５３ａ７４に記憶された出力実績消去優先度とユーザのリモコン１４１の操作により設定されて「重み付け」記憶領域１５３ａ７５に記憶された重み付けとの積（第２の積）と、に所定の演算を施して得たトータル消去優先度（具体的には、例えば、第１の積と第２の積とを足して得たトータル消去優先度）を、トータル消去優先度データテーブル１５３ａ７の「トータル消去優先度」記憶領域１５３ａ７６に記憶させ、「トータル消去優先度」記憶領域１５３ａ７６に記憶されたトータル消去優先度の高いコンテンツから順に、ＨＤＤ１２に記憶されたコンテンツを消去する。
【００８１】
また、消去プログラム１５３ｂ６は、ＣＰＵ１５１に、ユーザのリモコン１４１操作により指定された不要なコンテンツを、ＨＤＤ１２から消去する機能を実現させる。
【００８２】
ＣＰＵ１５１は、かかる消去プログラム１５３ｂ６を実行することによって、消去手段（第１の消去手段）及び第２の消去手段として機能する。
【００８３】
報知プログラム１５３ｂ７は、ＣＰＵ１５１に、消去プログラム１５３ｂ５を実行したＣＰＵ１５１によりＨＤＤ１２に記憶されたコンテンツを消去する際に、当該コンテンツを消去する旨を、出力装置２０を介して報知する機能を実現させる。
【００８４】
ＣＰＵ１５１は、かかる報知プログラム１５３ｂ７を実行することによって、報知手段として機能する。
＜ＰＶＲ機器による処理＞
次に、ＰＶＲ機器１０による処理について説明する。
[出力実績消去優先度更新処理]
まず、ＰＶＲ機器１０による出力実績消去優先度の更新に関する処理について、図８のフローチャートを参照して説明する。
【００８５】
まず、ユーザのリモコン１４１操作により、ＨＤＤ１２に記憶されたコンテンツ（例えば、コンテンツＡ〜Ｅ）のうちの一のコンテンツ（例えば、コンテンツＡ）を出力するよう指示されると（ステップＳ１１）、ＣＰＵ１５１は、出力制御プログラム１５３ｂ１を実行して、ＨＤＤ１２からコンテンツＡを取得して、出力装置２０に出力させる（ステップＳ１２）。
【００８６】
次いで、ＣＰＵ１５１は、更新プログラム１５３ｂ３を実行して、特性情報データテーブル１５３ａ３（図３）に記憶されたコンテンツＡの特性情報に基づいて、累積出力実績データテーブル１５４ａ４（図４）の「累積出力実績」記憶領域１５３ａ４３に記憶された累積出力実績を更新する（ステップＳ１３）。
【００８７】
具体的には、ＣＰＵ１５１は、更新プログラム１５３ｂ３を実行して、累積出力実績データテーブル１５４ａ４（図４）の「累積出力実績」記憶領域１５３ａ４３に記憶された累積出力実績のうちの、コンテンツＡの特性情報（所定項目「ジャンル」の特性情報「映画」、所定項目「放送局」の特性情報「○○テレビ」、所定項目「出演者」の特性情報「●●●●」，…、…）に対応する累積出力実績を、「１」を足すことによって、更新する。
【００８８】
次いで、ＣＰＵ１５１は、抽出プログラム１５３ｂ４及び付与プログラム１５３ｂ５を実行して、出力実績消去優先度データテーブル１５３ａ５（図５）の「出力実績消去優先度」記憶領域１５３ａ５６に記憶された出力実績消去優先度と、トータル消去優先度データテーブル１５３ａ７（図７）の「出力実績消去優先度」記憶領域１５３ａ７４に記憶された出力実績消去優先度と、を更新して（ステップＳ１４）、本処理を終了する。
【００８９】
具体的には、ＣＰＵ１５１は、抽出プログラム１５３ｂ４を実行して、累積出力実績データテーブル１５３ａ４（図４）の「累積出力実績」記憶領域１５３ａ４３に記憶された累積出力実績を抽出して、出力実績消去優先度データテーブル１５３ａ５（図５）の「累積出力実績」記憶領域１５３ａ５４の該当する位置に記憶させる。そして、ＣＰＵ１５１は、付与プログラム１５３ｂ５を実行して、「累積出力実績」記憶領域１５３ａ５４に記憶された累積出力実績から、コンテンツＡの累積出力実績の合計と、コンテンツＢの累積出力実績の合計と、コンテンツＣの累積出力実績の合計と、コンテンツＤの累積出力実績の合計と、コンテンツＥの累積出力実績の合計と、を演算して「点数」記憶領域１５３ａ５５の該当する位置に記憶させる。そして、ＣＰＵ１５１は、「点数」記憶領域１５３ａ５５に記憶された値に「−１」を乗じた値を、「出力実績消去優先度」記憶領域１５３ａ５６に記憶させると共に、トータル消去優先度データテーブル１５３ａ７の「出力実績消去優先度」記憶領域１５３ａ７４に記憶させる。
[放送予定消去優先度更新及びコンテンツ消去処理]
次に、ＰＶＲ機器１０による放送予定消去優先度の更新及びコンテンツの消去に関する処理について、図９のフローチャートを参照して説明する。
【００９０】
まず、所定のプログラム（図示省略）を実行したＣＰＵ１５１により、ＨＤＤ１２に新コンテンツを記憶する準備を行うよう指示されると（ステップＳ２１）、ＣＰＵ１５１は、付与プログラム１５３ｂ５を実行して、放送予定消去優先度データテーブル１５３ａ６（図６）の「放送回数消去優先度」記憶領域１５３ａ６３に記憶された放送回数消去優先度を更新する（ステップＳ２２）。
【００９１】
具体的には、例えば、放送時間が「１月１日  １０：００〜１２：００」の新コンテンツを記憶する準備を行うよう指示されると、ＣＰＵ１５１は、付与プログラム１５３ｂ５を実行して、放送スケジュールデータテーブル１５３ａ２（図２）に記憶された放送スケジュールから、ＨＤＤ１２に記憶されたコンテンツ（コンテンツＡ〜Ｅ）の「１月１日  １２：００以降」の放送回数を抽出して、放送予定消去優先度データテーブル１５３ａ６（図６）の「放送回数」記憶領域１５３ａ６２に記憶させ、「放送回数」記憶領域１５３ａ６２の記憶された放送回数に「１０」を乗じた値を、「放送回数消去優先度」記憶領域１５３ａ６３に記憶させる。
【００９２】
次いで、ＣＰＵ１５１は、放送予定消去優先度データテーブル１５３ａ６（図６）の「放送期間消去優先度」記憶領域１５３ａ６５に記憶された放送期間消去優先度を更新する（ステップＳ２３）。
【００９３】
具体的には、ＣＰＵ１５１は、放送スケジュールデータテーブル１５３ａ２（図２）に記憶された放送スケジュールから、ＨＤＤ１２に記憶されたコンテンツ（コンテンツＡ〜Ｅ）における「１月１日  １２：００以降」の放送時間を抽出し、当該抽出した放送時間までの期間が長いものから順に（コンテンツＢ，Ｃ，Ａ，Ｄ，Ｅの順に）「１」，「２」，「３」，「４」，「５」を、「放送期間順位」記憶領域１５３ａ６４に記憶させ、「放送期間順位」記憶領域１５３ａ６４に記憶された値に「５」を乗じた値を、「放送期間消去優先度」記憶領域１５３ａ６５に記憶させる。
【００９４】
次いで、ＣＰＵ１５１は、放送予定消去優先度データテーブル１５３ａ６（図６）の「放送予定消去優先度」記憶領域１５３ａ６６に記憶された放送予定消去優先度と、トータル消去優先度データテーブル１５３ａ７（図７）の「放送予定消去優先度」記憶領域１５３ａ７２に記憶された放送予定消去優先度と、を更新する（ステップＳ２４）。
【００９５】
具体的には、ＣＰＵ１５１は、放送予定消去優先度データテーブル１５３ａ６（図６）の「放送回数消去優先度」記憶領域１５３ａ６３に記憶された値と「放送期間消去優先度」記憶領域１５３ａ６５に記憶された値との和を、「放送予定消去優先度」記憶領域１５３ａ６６に記憶させると共に、トータル消去優先度データテーブル１５３ａ７（図７）の「放送予定消去優先度」記憶領域１５３ａ７２に記憶させる。
【００９６】
次いで、ＣＰＵ１５１は、消去プログラム１５３ｂ６を実行して、トータル消去優先度データテーブル１５３ａ７（図７）の「トータル消去優先度」記憶領域１５３ａ７６に記憶されたトータル消去優先度を更新する（ステップＳ２５）。
【００９７】
具体的には、ＣＰＵ１５１は、消去プログラム１５３ｂ６を実行して、トータル消去優先度データテーブル１５３ａ７（図７）の「放送予定消去優先度」記憶領域１５３ａ７２に記憶された放送予定消去優先度と「重み付け」記憶領域１５３ａ７３に記憶された重み付けとの積と、「出力実績消去優先度」記憶領域１５３ａ７４に記憶された出力実績消去優先度と「重み付け」記憶領域１５３ａ７５に記憶された重み付けとの積と、の和を、「トータル消去優先度」記憶領域１５３ａ７６に記憶させる。
【００９８】
次いで、ＣＰＵ１５１は、ＨＤＤ１２の空き容量と、新コンテンツのデータ量と、を比較して、ＨＤＤ１２の空き容量が新コンテンツのデータ量よりも大きいか否かを判定する（ステップＳ２６）。
【００９９】
ステップＳ２６で、ＨＤＤ１２の空き容量が新コンテンツのデータ量よりも大きくないと判定すると（ステップＳ２６；Ｎｏ）、ＣＰＵ１５１は、報知プログラム１５３ｂ７を実行して、トータル消去優先度データテーブル１５３ａ７（図７）の「トータル消去優先度」記憶領域１５３ａ７６に記憶されたトータル消去優先度が最も高いコンテンツをＨＤＤ１２から消去する旨を、出力装置２０の画像表示部２１に表示して報知する（ステップＳ２７）。
【０１００】
次いで、ＣＰＵ１５１は、ユーザのリモコン１４１操作により、コンテンツをＨＤＤ１２から消去してもよいと指示されたか否かを判定する（ステップＳ２８）。
【０１０１】
ステップＳ２８において、コンテンツをＨＤＤ１２から消去してもよいと指示されていないと判定すると（ステップＳ２８；Ｎｏ）、ＣＰＵ１５１は、トータル消去優先度が次に高いコンテンツをＨＤＤ１２から消去する旨を、出力装置２０の画像表示部２１に表示して報知して（ステップＳ２９）、ステップＳ２８以降の処理を繰り返して行う。
【０１０２】
一方、ステップＳ２８において、コンテンツをＨＤＤ１２から消去してもよいと指示されたと判定すると（ステップＳ２８；Ｙｅｓ）、ＣＰＵ１５１は、消去プログラム１５３ｂ６を実行して、消去してもよいと指示されたコンテンツを、ＨＤＤ１２から消去して（
ステップＳ３０）、ステップＳ２６以降の処理を繰り返して行う。
【０１０３】
また、ステップＳ２６で、ＨＤＤ１２の空き容量が新コンテンツのデータ量よりも大きいと判定すると（ステップＳ２６；Ｙｅｓ）、ＣＰＵ１５１は、新コンテンツのＨＤＤ１２への記憶を開始して（ステップＳ３１）、本処理を終了する。
【０１０４】
以上説明した本発明のサーバ型放送におけるコンテンツ受信機としてのＰＶＲ機器１０によれば、順次放送されるコンテンツを受信するアンテナ１１１及びチューナ１１と、当該受信されたコンテンツを記憶するＨＤＤ１２と、当該記憶されたコンテンツを出力装置２０に出力させる出力制御プログラム１５３ｂ１を実行したＣＰＵ１５１と、を備え、取得プログラム１５３ｂ２を実行したＣＰＵ１５１によって、ＨＤＤ１２に記憶されたコンテンツの放送スケジュールを取得することができ、付与プログラム１５３ｂ５を実行したＣＰＵ１５１によって、取得プログラム１５３ｂ２を実行したＣＰＵ１５１により取得された放送スケジュールから、ＨＤＤ１２に記憶されたコンテンツの今後の放送回数を抽出して、ＨＤＤ１２に記憶される機会が多いものほど高くなるように、コンテンツに対する放送回数消去優先度を付与すると共に、取得プログラム１５３ｂ２を実行したＣＰＵ１５１により取得された放送スケジュールから、ＨＤＤ１２に記憶されたコンテンツにおける今後の放送時間を抽出して、今後の放送時間までの期間が短いものほど高くなるように、コンテンツに対する放送期間消去優先度を付与し、当該放送回数消去優先度と当該放送期間消去優先度とに基づいて、コンテンツに対する放送予定消去優先度を付与することができる。したがって、今後、何度も放送されるコンテンツ（すなわち、今後、何度も再記憶の機会があるコンテンツ）を記憶したままで、今後、放送予定のないコンテンツ（すなわち、今後、一度も再記憶の機会がないコンテンツ）を先に消去してしまうことや、今後、すぐにでも再記憶することできるコンテンツを記憶したままで、今後、なかなか再記憶することができないコンテンツを消去してしまうことがなくなる。すなわち、適切なタイミングでコンテンツを消去することができるため、効果的に、ユーザ視聴の不具合を防止することができる。
【０１０５】
そして、特性情報データテーブル１５３ａ３によって、ＨＤＤ１２に記憶されたコンテンツの所定項目の特性に関する特性情報を記憶することができ、累積出力実績データテーブル１５３ａ４によって、出力制御プログラム１５３ｂ１を実行したＣＰＵ１５１により出力装置２０に出力されたコンテンツの所定項目の特性情報毎の累積出力実績を記憶することができ、更新プログラム１５３ｂ３を実行したＣＰＵ１５１によって、ＨＤＤ１２に記憶されたコンテンツが出力制御プログラム１５３ｂ１を実行したＣＰＵ１５１により出力装置２０に出力された際に、特性情報データテーブル１５３ａ３に記憶された当該コンテンツの特性情報に基づいて、累積出力実績データテーブル１５３ａ４における該当する所定項目の特性情報毎の累積出力実績を更新することができ、ユーザのリモコン１４１操作によって、コンテンツの所定項目における所望の所定項目を選択することができ、抽出プログラム１５３ｂ４を実行したＣＰＵ１５１によって、ＨＤＤ１２に記憶されたコンテンツ毎に、特性情報データテーブル１５３ａ３に記憶された特性情報に基づいて、ユーザのリモコン１４１操作により選択された所定項目の特性情報毎の累積出力実績を累積出力実績データテーブル１５３ａ４から抽出することができ、付与プログラム１５３ｂ５を実行したＣＰＵ１５１によって、抽出プログラム１５３ｂ４を実行したＣＰＵ１５１により抽出された累積出力実績に所定の演算を施して点数化し、当該点数に基づいて、コンテンツに対する出力実績消去優先度を付与することができる。したがって、消去するコンテンツを決める際、今後の放送予定に加えて、これまでのユーザの視聴傾向も反映することができ、さらに、ユーザは、複数ある所定項目の中から、消去するコンテンツを決める際に反映したい所定項目を選択することができる。また、ユーザのリモコン１４１操作によって、付与プログラム１５３ｂ５を実行したＣＰＵ１５１により付与される放送予定消去優先度と出力実績消去優先度とに対して重み付けを設定することができ、消去プログラム１
５３ｂ６を実行したＣＰＵ１５１によって、ＨＤＤ１２に新コンテンツを記憶する前に、ＨＤＤ１２の空き容量と、当該新コンテンツのデータ量と、に基づいて、ＨＤＤ１２の空き容量が当該新コンテンツを記憶可能な容量となるように、付与プログラム１５３ｂ５を実行したＣＰＵ１５１により付与された放送予定消去優先度とユーザのリモコン１４１操作により設定された当該放送予定消去優先度に対する重み付けとの積と、付与プログラム１５３ｂ５を実行したＣＰＵ１５１により付与された出力実績消去優先度とユーザのリモコン１４１操作により設定された当該出力実績消去優先度に対する重み付けとの積と、に所定の演算を施して得たトータル消去優先度の高いコンテンツから順に、ＨＤＤ１２に記憶されたコンテンツを消去することができる。したがって、ユーザは、消去するコンテンツを決める際の、今後の放送予定を重視する度合いと、これまでの視聴傾向を重視する度合いと、を設定することができる。さらに、報知プログラム１５３ｂ７を実行したＣＰＵ１５１によって、消去プログラム１５３ｂ６を実行したＣＰＵ１５１によりＨＤＤ１２に記憶されたコンテンツを消去する際に、当該コンテンツを消去する旨を、出力装置２０を介して報知することができる。したがって、ユーザは、消去されるコンテンツを知ることができるため、例えば、当該消去されるコンテンツがＨＤＤ１２に残しておきたいコンテンツである場合は、当該消去されるコンテンツが消去されないよう対応することができる。すなわち、ユーザの好みに合わせてコンテンツを消去することができる。
【０１０６】
そして、ユーザのリモコン１４１操作によって、ＨＤＤ１２に記憶されたコンテンツの中から不要なコンテンツを指定することができ、消去プログラム１５３ｂ６を実行したＣＰＵ１５１によって、ユーザのリモコン１４１操作により指定された不要なコンテンツを、ＨＤＤ１２から消去することができる。したがって、放送予定消去優先度や出力実績消去優先度に関わらず、ユーザは、消去したいコンテンツがある場合は、任意のタイミングで、当該消去したいコンテンツをＨＤＤ１２から消去させることができるため、使い勝手がよい。
【０１０７】
なお、本発明は、上記した実施の形態のものに限るものではなく、その要旨を逸脱しない範囲で適宜変更可能である。
【０１０８】
コンテンツ受信機は、ＰＶＲ機器１０の限りでなく、コンテンツを受信して記憶して出力装置２０に出力することができる好適な機器であれば任意である。
【０１０９】
また、出力装置２０は、コンテンツ受信機（ＰＶＲ機器１０）と別体としたが、コンテンツ受信機内に備えられていてもよい。
【０１１０】
放送予定消去優先度の演算方法は、本実施の形態の限りではなく、今後の放送回数が多いコンテンツほど高くなるように、そして、今後の放送回数が同じ場合は、今後の放送時間までの時間が短いコンテンツほど高くなるように、放送予定消去優先度を演算することができる好適な方法であれば任意である。
【０１１１】
また、放送予定消去優先度を演算する際、今後の放送回数と、今後の放送時間と、を反映するようにしたが、少なくとも、今後の放送回数が反映されればよい。
【０１１２】
出力実績消去優先度の演算方法は、本実施の形態の限りではなく、ユーザの視聴傾向が高い特性情報を多く含むコンテンツほど低くなるように、或いは、ユーザにより選択された所定項目（選択所定項目）を多く含むコンテンツほど低くなるように且つユーザの視聴傾向が高い特性情報を多く含むコンテンツほど低くなるように、出力実績消去優先度を演算することができる好適な方法であれば任意である。
【０１１３】
また、所定項目に替えて、特性情報を選択することができるようにしてもよい。この場合、出力実績消去優先度は、ユーザにより選択された特性情報を多く含むコンテンツほど低くなるように且つユーザの視聴傾向が高い特性情報を多く含むコンテンツほど低くなるように演算されることとなる。
【０１１４】
トータル消去優先度の演算方法は、本実施の形態の限りではなく、放送予定消去優先度が高いほど高くなるように且つ出力実績消去優先度が高いほど高くなるように、トータル消去優先度を演算することができる好適な方法であれば任意である。
【０１１５】
また、消去するコンテンツを決める際、放送予定消去優先度と、出力実績消去優先度と、を反映するようにしたが、少なくとも、放送予定消去優先度が反映されればよい。
【図面の簡単な説明】
【０１１６】
【図１】本実施の形態におけるＰＶＲ機器の機能的構成を示すブロック図である。
【図２】図１に示した放送スケジュールデータテーブルのデータ構造を示す図である。
【図３】図１に示した特性情報データテーブルのデータ構造を示す図である。
【図４】図１に示した累積出力実績データテーブルのデータ構造を示す図である。
【図５】図１に示した出力実績消去優先度データテーブルのデータ構造を示す図である。
【図６】図１に示した放送予定消去優先度データテーブルのデータ構造を示す図である。
【図７】図１に示したトータル消去優先度データテーブルのデータ構造を示す図である。
【図８】ＰＶＲ機器による出力実績消去優先度の更新に関する処理を説明するためのフローチャートである。
【図９】ＰＶＲ機器による放送予定消去優先度の更新及びコンテンツの消去に関する処理を説明するためのフローチャートである。
【符号の説明】
【０１１７】
１０  ＰＶＲ機器（コンテンツ受信機）
１１  チューナ（受信手段）
１２  ＨＤＤ（記憶手段）
２０  出力装置
１１１  アンテナ（受信手段）
１４１  リモコン（設定手段、選択手段、指定手段）
１５１  ＣＰＵ（出力制御手段、取得手段、更新手段、抽出手段、付与手段（第１の付与手段）、第２の付与手段、消去手段（第１の消去手段）、第２の消去手段、報知手段）
１５３ａ３  特性情報データテーブル（特性情報記憶手段）
１５３ａ４  累積出力実績データテーブル（累積出力実績記憶手段）
１５３ｂ１  出力制御プログラム（出力制御手段）
１５３ｂ２  取得プログラム（取得手段）
１５３ｂ３  更新プログラム（更新手段）
１５３ｂ４  抽出プログラム（抽出手段）
１５３ｂ５  付与プログラム（付与手段（第１の付与手段）、第２の付与手段）
１５３ｂ６  消去プログラム（消去手段（第１の消去手段）、第２の消去手段）
１５３ｂ７  報知プログラム（報知手段）
【図１】
2007081670.tif 000003
【図２】
2007081670.tif 000004
【図３】
2007081670.tif 000005
【図４】
2007081670.tif 000006
【図５】
2007081670.tif 000007
【図６】
2007081670.tif 000008
【図７】
2007081670.tif 000009
【図８】
2007081670.tif 000010
【図９】
2007081670.tif 000011